(57)【要約】【課題】  細くスリムに折り畳むことが可能な多段折畳傘の傘骨を提供する。【解決手段】  リンク駆動ロッド（３０）を弾性ワイヤで作製し、支骨（２０）の断面コの字形の溝（２０ｄ）の横幅（Ｗ１）を、主動親骨部材（１０）の横幅（Ｗ２）より広く構成すると共に、支骨（２０）の長さ（Ｌ１）を、主動親骨部材（１０）と支骨（２０）の連結部（１０ｃ）から、主動親骨部材（１０）の外端に連結された従動親骨部材（１１）の内端（１１ａ）までの最大距離（Ｌ２）より長く構成し、傘骨を折り畳んだとき、断面コの字形の支骨（２０）の溝（２０ｄ）の内部に、弾性ワイヤ製のリンク駆動ロッド（３０）と、主動親骨部材（１０）の支骨連結部（１０ｃ）から外端（１０ｂ）までの部分と、親骨伸開リンク機構（５０）の最内側の従動親骨部材（１１）の内端（１１ａ）から主動親骨部材の外端（１０ｂ）との連結部（１１ｃ）までの部分とが収容されるようにする。【選択図】  図１
2006141779.tif 000002
【特許請求の範囲】
【請求項１】
複数の管状軸をテレスコピックに伸縮自在に組み合わせて成る多段伸縮傘軸（６０）の先端に設けた上ロクロ（７０）に、その内端（１０ａ）が開閉自在に取り付けられた断面コの字形の主動親骨部材（１０）と; 
多段伸縮傘軸上にスライド自在に設けられた下ロクロ（８０）に、その内端（２０ａ）が開閉自在に取り付けられ、外端（２０ｂ）が上記主動親骨部材（１０）のほぼ中央部（１０ｃ）に開閉自在に連結された断面コの字形の支骨（２０）と; 
少なくとも２本の互いに開閉自在に連結された従動親骨部材（１１，１２）と、最外側のもの以外の従動親骨部材（１１）のそれぞれに沿って設けられ、各端部が隣接する親骨部材（１０，１１，１２）の端部に連結される弾性ワイヤ（４１）とから成り、最外側の従動親骨部材（１２）の外端（１２ｂ）に露先（１３）が取り付けられ、最内側の従動親骨部材（１１）がその内端に近接した位置（１１ｃ）において主動親骨部材（１０）の外端（１０ｂ）に開閉自在に連結されて成る親骨伸開リンク機構（５０）と; 
その内端（３０ａ）が支骨（２０）の外端に近接した位置（２０ｃ）に開閉自在に連結され、外端（３０ｂ）が最内側の従動親骨部材（１１）の内端（１１ａ）に連結された親骨伸開リンク機構開閉駆動用のリンク駆動ロッド（３０）と; 
から成る多段折畳傘の傘骨において; 
上記リンク駆動ロッド（３０）を弾性ワイヤで作製し、
支骨（２０）の断面コの字形の溝（２０ｄ）の横幅（Ｗ１）を、主動親骨部材（１０）の横幅（Ｗ２）より広く形成すると共に、
支骨（２０）の長さ（Ｌ１）を、主動親骨部材（１０）と支骨（２０）の連結部（１０ｃ）から、主動親骨部材（１０）の外端に連結された従動親骨部材（１１）の内端（１１ａ）までの最大距離（Ｌ２）よりも長く構成し、
傘骨を折り畳んだとき、断面コの字形の支骨（２０）の溝（２０ｄ）の内部に、弾性ワイヤ製のリンク駆動ロッド（３０）と、主動親骨部材（１０）の支骨連結部（１０ｃ）から外端（１０ｂ）までの部分と、親骨伸開リンク機構（５０）の最内側の従動親骨部材（１１）の内端（１１ａ）から主動親骨部材の外端（１０ｂ）との連結部（１１ｃ）までの部分とが収容されるように構成したこと; 
を特徴とする細く折り畳める多段折畳傘の傘骨。
【発明の詳細な説明】
【技術分野】
【０００１】
本発明は、多段折畳傘の傘骨の改良に関し、特に、細くコンパクトに折り畳むことが可能な多段折畳傘の傘骨の構造に関するものである。
【背景技術】
【０００２】
２段、３段若しくはそれ以上の段数に短く折り畳むことが可能な携帯用の折畳傘は、例えば下記特許文献１〜３に開示されているが、これら以外にも多数の特許出願等がなされ、実用化もされ、広く利用されているところである。
【０００３】
【特許文献１】特開平０５−０４９５１０号公報
【特許文献２】特開２００１−０１７２１７号公報
【特許文献３】特開２００１−３３３８０８号公報
【０００４】
多段折畳傘は、不使用時には折り畳んでカバンやバッグに入れて持ち歩くため、単に短く折り畳めるだけでなく、折り畳んだときになるべく細くスリムな状態になることが望ましい。
そのため、メーカーは、傘骨の本数を減らしたり、傘骨自体を細くしたり、薄い傘布を使用したりするなどの工夫を行ってきた。その結果、それらの方法は一定の限界に達しており、それ以上押し進めると、傘の強度や耐久性が損なわれる状態となっている。
【０００５】
ここで、図６〜８を参照して、従来公知の多段折畳傘の傘骨構造の一例と、その問題点について説明する。
なお、本明細書及び特許請求の範囲の記載において、「内側」、「内端」とは、傘を開いた状態において傘軸に近い側若しくは傘軸に近い側の端部を指し、「外側」、「外端」とは、傘を開いた状態において傘軸から遠い側若しくは傘軸から遠い側の端部を指し、「上側」とは、傘の先端の石突に近い側を指し、「下側」とは、傘の握り柄に近い側を指すものである。
図６〜８に示した従来公知の多段（３段）折畳傘は、３本の管状軸１６１，１６２，１６３（図７）をテレスコピック（入れ子式）に伸縮自在に組み合わせて成る３段伸縮式傘軸１６０の先端に上ロクロ１７０を取り付け、当該上ロクロ１７０に、断面コの字形の主動親骨部材１１０の内端１１０ａが開閉自在に取り付けられている。
伸縮式傘軸１６０上には、下ロクロ１８０がスライド自在に設けられ、当該下ロクロ１８０には、断面コの字形の支骨１２０の内端１２０ａが開閉自在に取り付けられ、また、支骨１２０の外端１２０ｂは、上記主動親骨部材１１０のほぼ中央部１１０ｃに開閉自在に連結されている。
２本の従動親骨部材１１１，１１２は互いに開閉自在に連結され、内側の従動親骨部材（第１従動親骨部材）１１１は、その内端に近接した位置１１１ｃにおいて主動親骨部材１１０の外端１１０ｂに開閉自在に連結され、また、その外端１１１ｂは外側の従動親骨部材（第２従動親骨部材）１１２の内端に近接した位置１１２ｃに開閉自在に連結されている。第２従動親骨部材１１２の外端１１２ｂには露先１１３が取り付けられている。更に、主動親骨部材１１０の外端に近接した位置１１０ｄと第２従動親骨部材１１２の内端１１２ａとの間には弾性ワイヤ１４１が掛け渡すように取り付けられている。これにより、第１従動親骨部材１１１と、弾性ワイヤ１４１と、主動親骨部材１１０の外端に近い所定の長さの領域と、第２従動親骨部材１１２の内端に近い所定の長さの領域と、によって親骨伸開リンク機構１５０が形成されるようになっている。
支骨１２０の外端に近接した位置１２０ｃと第１従動親骨部材１１１の内端１１１ａとの間には、リンク駆動ロッド１３０が開閉自在に取り付けられている。
そこで、下ロクロ１８０を傘軸１６０に沿って押し上げると、主動親骨部材１１０が支骨１２０に押し上げられて開くと同時に、上記リンク駆動ロッド１３０及び親骨伸開リンク機構１５０の作用で従動親骨部材１１１及び１１２も開いて、図７に示すような開傘状態が得られる。
【０００６】
この従来公知の３段折畳傘を折り畳んだときの傘骨の状態が図８に示されている。
この折畳状態においては、下ロクロ１８０の周囲において、支骨１２０と、リンク駆動ロッド１３０と、主動親骨部材１１０とが、いずれも多重に折り重なるようになっているため、全体として太くなり、図８に示した状態よりも細く折り畳むことは困難であった。
【発明の開示】
【発明が解決しようとする課題】
【０００７】
本発明は、上記の問題点を解決するためなされたものであり、その目的とするところは、細くスリムに折り畳むことが可能で、傘の強度や耐久性を損なうこともない多段折畳傘の傘骨を提供することにある。
【課題を解決するための手段】
【０００８】
上記の目的を達成するため、本発明は、
複数の管状軸をテレスコピックに伸縮自在に組み合わせて成る多段伸縮傘軸の先端に設けた上ロクロに、その内端が開閉自在に取り付けられた断面コの字形の主動親骨部材と; 
多段伸縮傘軸上にスライド自在に設けられた下ロクロに、その内端が開閉自在に取り付けられ、外端が上記主動親骨部材のほぼ中央部に開閉自在に連結された断面コの字形の支骨と; 
少なくとも２本の互いに開閉自在に連結された従動親骨部材と、最外側のもの以外の従動親骨部材のそれぞれに沿って設けられ、各端部が隣接する親骨部材の端部に連結される弾性ワイヤとから成り、最外側の従動親骨部材の外端に露先が取り付けられ、最内側の従動親骨部材がその内端に近接した位置において主動親骨部材の外端に開閉自在に連結されて成る親骨伸開リンク機構と; 
その内端が支骨の外端に近接した位置に開閉自在に連結され、外端が最内側の従動親骨部材の内端に連結された親骨伸開リンク機構開閉駆動用のリンク駆動ロッドと; 
から成る多段折畳傘の傘骨において; 
上記リンク駆動ロッドを弾性ワイヤで作製し、
支骨の断面コの字形の溝の横幅を、主動親骨部材の横幅より広く形成すると共に、
支骨の長さを、主動親骨部材と支骨の連結部から、主動親骨部材の外端に連結された従動親骨部材の内端までの最大距離よりも長く構成し、
傘骨を折り畳んだとき、断面コの字形の支骨の溝の内部に、弾性ワイヤ製のリンク駆動ロッドと、主動親骨部材の支骨連結部から外端までの部分と、親骨伸開リンク機構の最内側の従動親骨部材の内端から主動親骨部材の外端との連結部までの部分とが収容されるように構成したこと; 
を特徴とするものである。
【発明の効果】
【０００９】
上記の如き構成であると、傘骨を折り畳んだとき、断面コの字形の支骨の溝の内部に、弾性ワイヤ製の細いリンク駆動ロッドと、主動親骨部材の支骨連結部から外端までの部分と、親骨伸開リンク機構の最内側の従動親骨部材の内端から主動親骨部材の外端との連結部までの部分とが収容されるため、前記の従来公知の折畳傘のようにそれらが互いに折り重なって太くなるようなことがなく、細くスリムに折り畳むことが可能になる。また、折り畳んだときの傘骨の安定性もよくなる。
【発明を実施するための最良の形態】
【００１０】
以下、図面に示す実施例を参照しつつ、本発明を実施するための最良の形態について説明する。
【実施例】
【００１１】
図１は、本発明に係る多段折畳傘の傘骨の一実施例を示す外観斜視図、
図２は、図１に示した傘骨の要部の寸法を説明するための図、
図３は、図１に示した傘骨が開いた状態を示す説明図、
図４は、図１に示した傘骨を備えた折畳傘を折り畳んだときの状態を示す側面図、
図５は、本発明に係る多段折畳傘と従来公知の多段折畳傘の折畳状態における太さの違いを対比するための参考図である。
これらの図中、１０は主動親骨部材、１１は第１従動親骨部材、１２は第２従動親骨部材、１３は露先、２０は支骨、３０は弾性ワイヤ製のリンク駆動ロッド、４１は弾性ワイヤ、５０は親骨伸開リンク機構、６０は多段伸縮傘軸、７０は上ロクロ、８０は下ロクロ、９０は握り柄、１００は傘布である。
【００１２】
図１〜４に示した本発明に係る多段（３段）折畳傘は、３本の管状軸６１，６２，６３（図３）をテレスコピックに伸縮自在に組み合わせて成る３段伸縮式傘軸１６０の先端に上ロクロ７０を取り付け、当該上ロクロ７０に、断面コの字形の主動親骨部材１０の内端１０ａが開閉自在に取り付けられている。
伸縮式傘軸６０上には、下ロクロ８０がスライド自在に装着され、当該下ロクロ８０には、断面コの字形の支骨２０の内端２０ａが開閉自在に取り付けられ、また、支骨２０の外端２０ｂは、上記主動親骨部材１０のほぼ中央部１０ｃに開閉自在に連結されている。このとき、支骨２０は、その断面コの字形の溝２０ｄが、図１〜図３に示すように、リンク駆動ロッド３０の側を向くように、即ち、開傘時に下側を向くように取り付けられる。
【００１３】
２本の従動親骨部材１１，１２は互いに開閉自在に連結され、内側の従動親骨部材（第１従動親骨部材）１１は、その内端に近接した位置１１ｃにおいて主動親骨部材１０の外端１０ｂに開閉自在に連結され、その外端１１ｂは外側の従動親骨部材（第２従動親骨部材）１２の内端に近接した位置１２ｃに開閉自在に連結されている。第２従動親骨部材１２の外端１２ｂには露先１３が取り付けられている。更に、主動親骨部材１０の外端に近接した位置１０ｄと第２従動親骨部材１２の内端１２ａとの間には弾性ワイヤ４１が掛け渡すように取り付けられている。これにより、第１従動親骨部材１１と、弾性ワイヤ４１と、主動親骨部材１０の外端に近い所定の長さの領域と、第２従動親骨部材１２の内端に近い所定の長さの領域と、によって親骨伸開リンク機構５０が形成されるようになっている。
【００１４】
なお、図示した実施例は３段式の折畳傘であるが、２段式の折畳傘としたり、或いは４段以上の折畳傘とすることも可能であり、そのような場合を含めた親骨伸開リンク機構５０の構造は、一般的には、少なくとも２本の互いに開閉自在に連結された従動親骨部材と、最外側のもの以外の従動親骨部材のそれぞれに沿って設けられ、各端部が隣接する親骨部材の端部に連結される弾性ワイヤとから成り、最外側の従動親骨部材の外端に露先が取り付けられ、最内側の従動親骨部材がその内端に近接した位置において主動親骨部材の外端に開閉自在に連結されるよう構成されるものである。
【００１５】
図示した実施例において、支骨２０の外端に近接した位置２０ｃと第１従動親骨部材１１の内端１１ａとの間には、リンク駆動ロッド３０が開閉自在に取り付けられている。
そこで、下ロクロ８０を傘軸６０に沿って持ち上げると、主動親骨部材１０が支骨２０に押し上げられて開くと同時に、上記リンク駆動ロッド３０及び親骨伸開リンク機構５０の作用で従動親骨部材１１及び１２も開いて、図３に示すような開傘状態が得られるものである。
【００１６】
而して、本発明に係る多段折畳傘においては、上記リンク駆動ロッド３０が弾性ワイヤで作製され、図６に示した従来例のリンク駆動ロッド１３０のような断面コの字形の部材に比べて、格段に細い部材が用いられている。
また、本発明においては、図２に示す如く、支骨２０の断面コの字形の溝２０ｄの横幅Ｗ１を、主動親骨部材１０の横幅Ｗ２より広く形成すると共に、支骨２０の長さＬ１を、主動親骨部材１０と支骨２０の連結部１０ｃから、主動親骨部材１０の外端に連結された従動親骨部材１１の内端１１ａまでの最大距離Ｌ２より長くするように構成してある。
【００１７】
そのため、傘を折り畳んだときには、図４に示すように、支骨２０の断面コの字形の溝２０ｄの内部に、弾性ワイヤ製のリンク駆動ロッド３０と、主動親骨部材１０の支骨連結部１０ｃから外端１０ｂまでの部分と、第１従動親骨部材１１の内端１１ａから主動親骨部材の外端１０ｂとの連結部１１ｃまでの部分とが収容され、従来例の傘骨に比べて格段に細く折り畳むことが可能となるものである。
また、上記の如く、支骨２０の溝２０ｄの内部に、第１従動親骨部材１１の内端１１ａから主動親骨部材の外端１０ｂとの連結部１１ｃまでの部分、等々が収容され、折畳状態においてそれらの部分が支骨２０によりカバーされて保護されるので、傘骨の安定性が高められると共に、折り畳んで携帯中にそれらの部分に無理な力が加わって傘骨を痛めることも防止される。
なお、図５中の右側の（Ａ）図には、図４に示したものと同一の本発明の折畳傘の折畳状態が示され、左側の（Ｂ）図には、図８に示したものと同一の従来公知の折畳傘の折畳状態が示されているが、両者を比較することにより、本発明に係る傘骨が従来品に比べて極めて細くスリムに折り畳み可能であることが理解できる。
【００１８】
なお、本発明は上記の実施例に限定されるものではなく、３段式以外の段数の折畳傘にも適用可能であることは前記の通りであり、従って本発明は、特許請求の範囲に記載した範囲内において、上記の説明及び図面の記載から当業者が容易に想到し得るすべての変更実施例を包摂するものである。
【産業上の利用可能性】
【００１９】
本発明は以上の如く構成されるから、本発明によるときは、傘の強度や耐久性を損なうことなく、細くスリムに折り畳むことが可能な多段折畳傘の傘骨を提供し得るものであり、産業上多大の利用可能性を有するものである。
【図面の簡単な説明】
【００２０】
【図１】本発明に係る多段折畳傘の傘骨の一実施例を示す外観斜視図である。
【図２】図１に示した傘骨の要部の寸法を説明するための図である。
【図３】図１に示した傘骨が開いた状態を示す説明図である。
【図４】図１に示した傘骨を備えた折畳傘を折り畳んだときの状態を示す側面図である。
【図５】本発明に係る多段折畳傘と従来公知の多段折畳傘の折畳状態における太さの違いを対比するための参考図である。
【図６】従来公知の多段折畳傘の傘骨の一例を示す外観斜視図である。
【図７】図６に示した従来公知の傘骨が開いた状態を示す説明図である。
【図８】図６に示した従来公知の傘骨を備えた折畳傘を折り畳んだときの状態を示す側面図である。
【符号の説明】
【００２１】
１０    主動親骨部材
１１    第１従動親骨部材
１２    第２従動親骨部材
１３    露先
２０    支骨
３０    弾性ワイヤ製のリンク駆動ロッド
４１    弾性ワイヤ
５０    親骨伸開リンク機構
６０    多段伸縮傘軸
７０    上ロクロ
８０    下ロクロ
９０    握り柄
１００  傘布
１１０  主動親骨部材
１１１  第１従動親骨部材
１１２  第２従動親骨部材
１１３  露先
１２０  支骨
１３０  リンク駆動ロッド
１４１  弾性ワイヤ
１５０  親骨伸開リンク機構
１６０  多段伸縮傘軸
１７０  上ロクロ
１８０  下ロクロ
１９０  握り柄
【図１】
2006141779.tif 000003
【図２】
2006141779.tif 000004
【図３】
2006141779.tif 000005
【図４】
2006141779.tif 000006
【図５】
2006141779.tif 000007
【図６】
2006141779.tif 000008
【図７】
2006141779.tif 000009
【図８】
2006141779.tif 000010